(57)【要約】【課題】発光素子からの光を有効に利用することができる遊技機を提供する。【解決手段】本発明のパチンコ遊技機１０では、遊技板１１の前面に配置された透光板３１に大入賞口５１と素子配置孔３１Ｋとが形成されていて、素子配置孔３１Ｋには発光素子４５が配置されている。そして、透光板３１の裏面における大入賞口５１の周囲には発光素子からの光を透光板の前面から出射させるように案内する凹凸導光部３４が備えられ、発光素子４５の前方には、光が透過可能な非透明な部材で構成されかつ前記発光素子からの光を分散させる凹凸形状をなした光装飾カバー３５が備えられている。【選択図】図５
2014204764.tif 000002
【特許請求の範囲】
【請求項１】
遊技機の前方から視認可能な透光板と、
前記透光板の側面に対向配置され、前記透光板に向けて光を出射する発光素子と、
前記透光板の前面又は後面の一部又は全部に凹凸を形成してなり、前記発光素子からの光を前記透光板を介して前記透光板の前面側から出射させるように案内する凹凸導光部と、
前記発光素子を前方から覆い、光が透過可能な非透明な部材で構成されかつ前記発光素子から前方に向かう光を分散させる凹凸形状をなした光装飾カバーとを備えたことを特徴とする遊技機。
【請求項２】
前記発光素子は、列をなすように複数並べて設けられ、
前記光装飾カバーは、前記透光板に対して傾斜しかつ階段状に屈曲した凹凸形状をなし、その階段状となった屈曲線が複数の前記発光素子の並び方向に沿うように配置されていることを特徴とする請求項１に記載の遊技機。
【請求項３】
前記光装飾カバーは、下方に向かうにつれて前方に向けて突出する階段状となっていることを特徴とする請求項２に記載の遊技機。
【請求項４】
前記透光板の縁部には、前記透光板の板厚方向に対して傾斜して斜め前方を向き、前記透光板内を伝播する前記発光素子からの光を前方に案内する導光傾斜面が形成されていることを特徴とする請求項１乃至３の何れか１に記載の遊技機。
【請求項５】
遊技媒体が前面を流下する遊技板を備え、その遊技板の前面に前記透光板が敷設されると共に、前記透光板に前記遊技媒体を受け入れて遊技者に特典を付与するための入賞口が形成され、前記入賞口の開口縁に前記導光傾斜面が形成されたことを特徴とする請求項１乃至４の何れか１に記載の遊技機。
【請求項６】
前記透光板の前面に、前記凹凸導光部の一部を覆って前記透光板の前面を装飾すると共に前方への光の出射を規制する加飾層が積層されていることを特徴とする請求項１乃至５の何れか１の請求項に記載の遊技機。
【発明の詳細な説明】
【技術分野】
【０００１】
本発明は、発光素子を用いた光装飾を行う遊技機に関する。
【背景技術】
【０００２】
従来、この種の遊技機として、ＬＥＤ等の発光素子の発光面を装飾部材に対向配置し、装飾部材を光らせるものが知られている（例えば、特許文献１参照）。
【先行技術文献】
【特許文献】
【０００３】
【特許文献１】特開２０１１−１７７４１６号公報（段落［００２４］、図１３）
【発明の概要】
【発明が解決しようとする課題】
【０００４】
しかしながら、上述した従来の遊技機においては、発光素子の光を装飾部材に照射する際に、発光素子と装飾部材との間から光が漏れてしまっていた。
【０００５】
本発明は、上記事情に鑑みてなされたもので、発光素子からの光を有効に利用することができる遊技機の提供を目的とする。
【課題を解決するための手段】
【０００６】
上記目的を達成するためになされた請求項１の発明に係る遊技機は、遊技機の前方から視認可能な透光板と、透光板の側面に対向配置され、透光板に向けて光を出射する発光素子と、透光板の前面又は後面の一部又は全部に凹凸を形成してなり、発光素子からの光を透光板を介して透光板の前面側から出射させるように案内する凹凸導光部と、発光素子を前方から覆い、光が透過可能な非透明な部材で構成されかつ発光素子から前方に向かう光を分散させる凹凸形状をなした光装飾カバーとを備えたところに特徴を有する。
【０００７】
なお、上記した「透光板の側面」には、透光板の外側面と、透光板に貫通形成された貫通孔の内側面とが含まれる。
【０００８】
請求項２の発明は、請求項１に記載の遊技機において、発光素子は、列をなすように複数並べて設けられ、光装飾カバーは、透光板に対して傾斜しかつ階段状に屈曲した凹凸形状をなし、その階段状となった屈曲線が複数の発光素子の並び方向に沿うように配置されているところに特徴を有する。
【０００９】
請求項３の発明は、請求項２に記載の遊技機において、光装飾カバーは、下方に向かうにつれて前方に向けて突出する階段状となっているところに特徴を有する。
【００１０】
請求項４の発明は、請求項１乃至３の何れか１に記載の遊技機において、透光板の縁部には、透光板の板厚方向に対して傾斜して斜め前方を向き、透光板内を伝播する発光素子からの光を前方に案内する導光傾斜面が形成されているところに特徴を有する。
【００１１】
なお、上記した「透光板の縁部」には、透光板の外縁部と、透光板に形成された貫通孔の内縁部とが含まれる。
【００１２】
請求項５の発明は、請求項１乃至４の何れか１に記載の遊技機において、遊技媒体が前面を流下する遊技板を備え、その遊技板の前面に透光板が敷設されると共に、透光板に遊技媒体を受け入れて遊技者に特典を付与するための入賞口が形成され、入賞口の開口縁に導光傾斜面が形成されたところに特徴を有する。
【００１３】
請求項６の発明は、請求項１乃至５の何れか１の請求項に記載の遊技機において、透光板の前面に、凹凸導光部の一部を覆って透光板の前面を装飾すると共に前方への光の出射を規制する加飾層が積層されているところに特徴を有する。
【発明の効果】
【００１４】
［請求項１の発明］
請求項１の遊技機では、発光素子からの光が透光板内を伝播し、透光板のうち前面又は後面に凹凸導光部が形成された領域を光らせる光装飾を行うことができる。また、発光素子は光装飾カバーにて前方から覆われて点光りした状態で視認されることが防がれると共に、発光素子の光で光装飾カバーも光らせることができ、光の有効利用が図られる。
【００１５】
［請求項２及び３の発明］
請求項２及び３の構成によれば、列状に並べられた複数の発光素子からの光を確実に分散させることができる。また、請求項３の構成によれば、光る光装飾カバーを視認し易くすることができる。
【００１６】
［請求項４及び５の発明］
請求項４及び５の遊技機では、導光傾斜面を設けたことで透光板の縁部を光らせて光装飾の趣向性を高めることができる。また、請求項５の構成によれば、遊技媒体を受け入れて遊技者に特典を付与する入賞口の開口縁を導光傾斜面によって光らせて目立たせることができる。
【００１７】
［請求項６の発明］
請求項６の構成によれば、透光板の前面を装飾する加飾層で凹凸導光部の一部を覆って前方への光の出射を規制するので、透光板の前面のうち加飾層にて装飾された部分に比べてその背側を光らせることができ、趣向性が高い光装飾を行うことができる。
【図面の簡単な説明】
【００１８】
【図１】本発明の一実施形態に係るパチンコ遊技機の正面図
【図２】遊技板の正面図
【図３】透光板の前面斜視図
【図４】透光板の後面斜視図
【図５】透光板及び装飾体の分解図
【図６】透光板の後面の駆動部を外した状態の斜視図
【発明を実施するための形態】
【００１９】
［第１実施形態］
以下、本発明の「遊技機」に相当するパチンコ遊技機１０の一実施形態を図１〜図６に基づいて説明する。図１に示すように、パチンコ遊技機１０は、前面中央にガラス窓９５Ｗを有し、そのガラス窓９５Ｗを通して遊技板１１が視認可能になっている。また、遊技板１１の前面には、図２に示すように、環状をなしたガイドレール１２が備えられ、そのガイドレール１２の内側が遊技領域Ｒ１となっている。そして、パチンコ遊技機１０の前面の操作ノブ２８の操作により、遊技媒体としての遊技球が遊技領域Ｒ１の上部に打ち込まれて、遊技領域Ｒ１内を流下する。
【００２０】
遊技板１１の遊技領域Ｒ１には、表示窓１１Ａが貫通形成されていて、その表示窓１１Ａを通して遊技板１１の後方の表示装置１３の液晶表示画面１３Ｇを視認することができる。また、表示窓１１Ａには表示装飾枠２３が前方から嵌め込まれている。また、表示装飾枠２３の上辺部分及び両側辺部分は前方に突出して、遊技球が表示装飾枠２３の前方を流下することを規制している。
【００２１】
遊技領域Ｒ１のうち表示装飾枠２３より下側の中央部には、第１と第２の始動入賞口１４，１５が上下に並べて設けられ、それら第１及び第２の始動入賞口１４，１５の左方には、複数の普通入賞口２０が右下がりの斜め一列に並べて設けられ、第１及び第２の始動入賞口１４，１５の右方には、大入賞口５１とサイド入賞口２１とが備えられている。そして、これら第１及び第２の始動入賞口１４，１５、普通入賞口２０等の入賞口に遊技球が入球すると、それぞれ所定複数の賞球がパチンコ遊技機１０の前面の上皿２６（図１参照）に払い出される。なお、これらの入賞口に入球しなかった遊技球は遊技領域Ｒ１の下端部のアウト口１６から遊技板１１の後側に排出される。
【００２２】
さて、遊技領域Ｒ１の右下部には、本発明に係る透光板３１が遊技板１１の前面に重ねて取り付けられ、この透光板３１を前後に貫通するように前記した大入賞口５１が形成されている。具体的には、透光板３１は、透明な樹脂の板状成形品であって、下縁部から右側縁部に亘る範囲が、連続して湾曲した外縁湾曲部３１Ｇになっていて、ガイドレール１２の右下湾曲部の内面に重ね合わされている。そして、透光板３１は、遊技領域Ｒ１の左右方向においては、ガイドレール１２から遊技領域Ｒ１の中央寄り位置に亘る範囲で遊技板１１の前面を覆い、上下方向においては、ガイドレール１２から表示装飾枠２３寄り位置に亘る範囲で遊技板１１の前面を覆っている。
【００２３】
図３に示すように、大入賞口５１は、透光板３１の上寄り位置に配置されて、左右方向に延びた長方形をなしている。また、大入賞口５１には回動扉５１Ｔが備えられ、その回動扉５１Ｔの下端部から両側方に突出した回動シャフト５１Ｓ，５１Ｓが、大入賞口５１の開口縁の両側部に回動可能に軸支されている。そして、回動扉５１Ｔが、通常は起立姿勢になって大入賞口５１を閉塞し、パチンコ遊技機１０が当り状態になると前方に倒れて大入賞口５１を開放すると共に、流下してくる遊技球を受け止めて大入賞口５１内に案内する。なお、この大入賞口５１が本発明の「入賞口」に相当する。
【００２４】
透光板３１の後面には、大入賞口５１を後方から覆うように図４に示した駆動源ユニット１９Ｕが取り付けられている。駆動源ユニット１９Ｕは、回動扉５１Ｔの駆動源であるソレノイド１８や、大入賞口５１への入球球をカウントするための図示しない検出スイッチや、サブ発光基板５５等を横長の筐体１９に組み付けてなる。サブ発光基板５５は、大入賞口５１の奧側に位置して、図示しない透明な保護壁にて前方から覆われている。また、その保護壁には光を分散させるための襞状の起伏が全体に連続的に形成されている。そして、回動扉５１Ｔが開いたときに、サブ発光基板５５上の発光素子が点灯して大入賞口５１内が光る。
【００２５】
なお、大入賞口５１に入球した遊技球は、筐体１９の下面に貫通形成された貫通孔から下方に落下し、筐体１９の下方で待ち受けているガイド樋１９Ｇに案内されて後方に向かい、図示しない遊技球回収ダクトに取り込まれる。また、そのガイド樋１９Ｇは、次述するメイン発光基板３２の後方に配置されている。
【００２６】
透光板３１の後面には、筐体１９の下方にメイン発光基板３２が重ねられた状態に取り付けられている。メイン発光基板３２の前面には、図５に示すように、本発明に係る複数の発光素子４５が一列に並べた状態に実装され、これら発光素子４５群を受容するための素子配置孔３１Ｋが透光板３１に貫通形成されている。発光素子４５は、横長のブロック形状をなし、発光素子４５群は、１つの発光素子４５を除く他の発光素子４５群の全体が、透光板３１の下端寄り位置において、透光板３１の左寄り位置から外縁湾曲部３１Ｇに沿って右斜め上方に延びた直線に沿って横並びに配置されている。また、１つの発光素子４５は、直線上に並んだ発光素子４５群の左側端部より大入賞口５１側にずらして配置されている。これら発光素子４５に対応して、素子配置孔３１Ｋは、透光板３１の左寄り位置から外縁湾曲部３１Ｇに沿って右斜め上方に延び、その左側端部が大入賞口５１側に若干屈曲している。そして、各発光素子４５のうち左斜め上方を向いた発光面と、素子配置孔３１Ｋの内側面とが互いに平行になって対向し、発光素子４５の光が素子配置孔３１Ｋの内面から透光板３１内に取り込まれるようになっている。
【００２７】
なお、詳細には、各発光素子４５は、非透明な樹脂で構成されたブロック状本体を備え、そのブロック状本体の横長の一側面には、外縁部を除く全体を陥没させて陥没部が形成されている。そして、その陥没部の奧側に複数の発光部が横並びに配置されると共にそれら発光部を覆うように透明な樹脂がポッティングされて、上記した発光素子４５の発光面が構成されている。
【００２８】
透光板３１の前面には、発光素子４５群を前方から覆うように光装飾カバー３５が取り付けられている。光装飾カバー３５は、インナーカバー３８とフロントカバー３７とからなる。インナーカバー３８は、非透明（具体的には、例えば乳濁色）でかつ光を通す樹脂の成形品である。また、インナーカバー３８の上面３８Ｂは、右上がりに緩やかに傾斜した直線状をなす一方、インナーカバー３８の下面３８Ｃは、透光板３１の外縁湾曲部３１Ｇに沿って湾曲しながら右側に向かって徐々に迫り上がって上面３８Ｂに交差し、インナーカバー３８全体を前方から見ると、例えばナイフの刃に似た形状をなしている。なお、インナーカバー３８の左右の両端部には、１対の金属調装飾パーツ３８Ａ，３８Ａが螺子止めされていて、それら金属調装飾パーツ３８Ａ，３８Ａは、金属調の塗料によってコーティングされて光を透過しないようになっている。
【００２９】
インナーカバー３８には、上下方向の中間位置から下端部に向かって徐々に前方に迫り出しかつ階段状に屈曲した階段構造部３８Ｋが備えられている。また、階段構造部３８Ｋより上側は、板構造部３８Ｌをなして、その前面には階段構造部３８Ｋの段差面と平行な複数の突条が突出形成されている。さらに、階段構造部３８Ｋの下縁部と側縁部とから透光板３１に向かって縁部突壁３８Ｓが突出して、縁部突壁３８Ｓと板構造部３８Ｌとが透光板３１の前面のうち素子配置孔３１Ｋを包囲する位置に当接して、発光素子４５群の光が側方に漏れることを規制している。なお、階段構造部３８Ｋの横方向の中央部には、縦長段差部３８Ｄが設けられ、その縦長段差部３８Ｄより右側が左側より後方にずれている。
【００３０】
フロントカバー３７は、インナーカバー３８の左右方向の両端部を除く前面全体に重ねられている。フロントカバー３７は、非透明（具体的には、例えば乳濁色）でかつ光を通す樹脂の成形品であって、フロントカバー３７の前面からは、所定の英単語（例えば「ＡＴＴＡＣＫＥＲ」）を構成する英文字形状の複数の装飾突部３７Ａが突出し、それら装飾突部３７Ａの後面側は陥没している。さらに、フロントカバー３７のうち装飾突部３７Ａの前面の除く前面の全体が、金属調の塗料によってコーティングされて光を透過しないようになっている。
【００３１】
光装飾カバー３５は、透明な透光カバー３６にて全体を覆われている。透光カバー３６のうち光装飾カバー３５を上方から覆う透光上面壁３６Ｊは、透光板３１の左端部から緩やかに右上がりに傾斜して大入賞口５１の右下位置まで直線状に延びてから湾曲して上方に向かい、さらに大入賞口５１の右側方位置で右斜め側方に屈曲してガイドレール１２の内面に突き合わされる位置まで延びている。そして、上方から流下してくる遊技球を受け止めて、上記した第２始動入賞口１５（図２参照）側へと案内する。また、透光カバー３６のうち光装飾カバー３５を前方から覆う透光前面壁３６Ｆは、透光板３１と平行の平板状をなし、その下端部は、透光板３１の外縁湾曲部３１Ｇと同一形状をなして湾曲し、外縁湾曲部３１Ｇと同様にガイドレール１２の内面に重ねられている。
【００３２】
透光上面壁３６Ｊの右側端部の上方位置には、透光板３１の上縁部から前方に突出した受球突部２１Ｔが設けられている。受球突部２１Ｔは、上面が開口したポケット構造をなし、その上面開口が前記したサイド入賞口２１になっている。また、透光板３１の上縁部には、受球突部２１Ｔの内面に対応して溝状切り欠き部５６が形成され、その溝状切り欠き部５６から後方にガイド樋５７が延びている。そして、サイド入賞口２１に入球した遊技球がガイド樋５７に案内されて図示しない遊技球回収ダクトに取り込まれる。なお、受球突部２１Ｔは、大入賞口５１より上方に位置し、受球突部２１Ｔと透光上面壁３６Ｊとの間は、遊技球１分の間隔が開いている。
【００３３】
透光板３１の後面のうち光装飾カバー３５より上側領域（図６における斜線部分）には、上端部と側部の一部を除いた略全体に亘って本発明に係る凹凸導光部３４が成形されている（図４参照）。凹凸導光部３４は、透光板３１の後面のうち素子配置孔３１Ｋの周囲の平坦面３１Ｈより陥没するように形成され、平坦面３１Ｈに対してランダムに傾斜した複数の傾斜面３４Ａを有している。また、それら複数の傾斜面３４Ａのうち一部を除く大部分の傾斜面３４Ａの表面には、例えば微細なアメーバ形状の突部群が全体に成形されている。また、一部の傾斜面３４Ａの表面は滑らかになっている。さらに、これら傾斜面３４Ａは蛇行するように湾曲していて、一部の隣り合った傾斜面３４Ａ，３４Ａ同士が組み合わさって断面が扁平三角形の三角突条３４Ｔを構成している。そして、透光板３１内を伝播する発光素子４５群の光が、凹凸導光部３４の複数の傾斜面３４Ａにて乱反射して前方に向かい、透光板３１の前面から出射するようになっている。
【００３４】
透光板３１のうち光装飾カバー３５より上方部分の外縁部には、透光板３１の板厚方向に対して傾斜して斜め前方を向いていた導光傾斜面３１Ｅが形成されている。また、大入賞口５１の開口縁にも、透光板３１の板厚方向に対して傾斜して斜め前方を向いていた導光傾斜面３１Ｆが形成されている。そして、透光板３１内を伝播する発光素子４５群の光の一部が、導光傾斜面３１Ｅ，３１Ｆからも前方に出射するようになっている。
【００３５】
透光板３１の前面には、凹凸導光部３４の一部を覆うように加飾層３９が積層されている。加飾層３９は、透光板３１の前面に塗布された非透光性で金属調の塗料により構成されて、前方から見ると、所定の文字と図柄とを組み合わせた形状になっている。
なお、本実施形態のパチンコ遊技機１０には、上記した透光板３１以外にも遊技板１１の前面やガラス窓９５Ｗの周囲に、発光素子の光を利用して光電飾を行うための光装飾部が備えられている。
【００３６】
本実施形態のパチンコ遊技機１０の構成に関する説明は以上である。次に、本実施形態の遊技機１０の作用効果について説明する。パチンコ遊技機１０に電源を投入すると、パチンコ遊技機１０に備えた複数の光装飾部が電飾装置が予め定められた発光パターンで光を放ち、光装飾が行われる。また、遊技領域Ｒ１に遊技球が打ち込まれて、例えば第１及び第２の始動入賞口１４，１５に遊技球が入球すると、当否の判定が行われて、その当否判定の結果に応じて遊技状態が変化し、光装飾のパターンも変化していく。
【００３７】
ここで、電飾装置の１つとしての透光板３１に関しては、通常は、大入賞口５１が閉じた状態になっていて、その大入賞口５１の下方の素子配置孔３１Ｋ内の発光素子４５群が、通常時用に設定された点灯パターンで点灯している。そして、それら発光素子４５群の光が透光板３１内を伝播し、透光板３１の後面に形成された凹凸導光部３４で乱反射して、大入賞口５１の近傍を広範囲に亘って光らせる光装飾が行われる。また、凹凸導光部３４が光ることで、その凹凸導光部３４を前方を覆った所定の形状の加飾層３９が、前方に浮き上がるようにライトアップされる。さらに、透光板３１の外縁部と大入賞口５１の開口縁とには、斜め前方を向いた導光傾斜面３１Ｅ，３１Ｆが形成されているので、透光板３１内を伝播して透光板３１の外縁と内縁（即ち、大入賞口５１の開口縁）とまで届いた光が斜め前方に出射されて、透光板３１の外縁及び内縁も光らせることができる。しかも、発光素子４５群は、光装飾カバー３５にて前方から覆われたことで点光りした状態で視認されることが防がれる。これらにより従来より趣向性の高い光の演出を行うことができる。また、発光素子４５群にて透光板３１と光装飾カバー３５の両方を光らせた光装飾を行うことができるので、光の有効利用も図られる。
【００３８】
なお、パチンコ遊技機１０が当たり状態になると、回動扉５１Ｔが前に倒れて大入賞口５１が開放し、多くの遊技球が回動扉５１Ｔを案内にして大入賞口５１に入球可能になる。このとき、大入賞口５１の奥部のサブ発光基板５５上の発光素子群が，例えば点滅する。それら発光素子群の光は、襞状の起伏が全体に備えた透明な保護壁を厚さ方向に通過して前方に出射されるので、透光板３１を通した発光素子４５群の光より強く光る。これにより、遊技の当り状態を盛り上げることができる。
【００３９】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００４０】
（１）前記実施形態では、パチンコ遊技機１０に本発明を適用していたが、遊技機であれば、コイン遊技機やスロットマシン、アレンジボール等に備えてもよい。
【００４１】
（２）前記実施形態では、素子配置孔３１Ｋに発光素子４５を配置していたが、素子配置孔３１Ｋを設けずに、透光板３１の側面に対向配置させる構成にしてもよい。
【００４２】
（３）前記実施形態では、透光板３１に大入賞口５１を形成していたが、例えば、始動入賞口やアウト口を形成してもよい。また、表示装飾枠２３、パチンコ遊技機１０の前面等に透光板３１を用いる構成にしてもよい。
【００４３】
（４）前記実施形態では、装飾カバー３５をインナーカバー３８とフロントカバー３７とから構成していたが、インナーカバー３８のみでもよい。また、インナーカバー３８は、階段状でなくてもよく、例えば、波形状であってもよい。
【００４４】
（５）前記実施形態では、装飾カバー３５は素子配置孔３１Ｋの周囲を囲み、発光素子の光が漏れないようにしていたが、例えば、下縁部に縁部突壁３８Ｓを設けずに下方に光が漏れるなど、一部の光が漏れていてもよい。
【符号の説明】
【００４５】
１０    パチンコ遊技機（遊技機）
１１    遊技板
３１    透光板
３１Ｅ，３１Ｆ    導光傾斜面
３１Ｋ    素子配置孔
３２    メイン発光基板
３４    凹凸導光部
３４Ａ    傾斜面
３４Ｔ    三角突条
３５    光装飾カバー
３６    透光カバー
３７    フロントカバー
３８    インナーカバー
３９    加飾層
４５    発光素子
５１    大入賞口（入賞口）
【図１】
2014204764.tif 000003
【図２】
2014204764.tif 000004
【図３】
2014204764.tif 000005
【図４】
2014204764.tif 000006
【図５】
2014204764.tif 000007
【図６】
2014204764.tif 000008